(57)【要約】【課題】  ファンが回転する際、搭載したバランスウェイトが外れないように、嵌合強度を上げると同時に、従来方法より簡易な取り付けを可能とするバランスウェイトの取り付け方法を提供し、高速回転用ファンでもファンのバランスを取れるようにする。【解決手段】  略Ｕ字状で、Ｕ字両側片がブレード５の湾曲に沿うように同角度方向に折り曲げられており、側片Ａ３は、バランスウェイト挿入部側へと切り欠きを設けて係合用の爪２を複数設ける。側片Ｂ４は係合爪２を形成している側面よりも長く形成して、ブレード５との接触面を増やし、バランスウェイト１の挿入口を、ブレード５の厚さよりも狭くする。【選択図】  図１
2006336532.tif 000002
【特許請求の範囲】
【請求項１】
板状のバネ材を略Ｕ字状に形成し、この略Ｕ字状の一方の面に、略Ｕ字状バネの内側に向かって複数個の切り欠きにより係合爪を形成したことを特徴とするバランスウエイト。
【請求項２】
略Ｕ字状に形成したバランスウエイトをファンの形状に沿って湾曲にしたことを特徴とする請求項１記載のバランスウエイト。
【請求項３】
複数個の係合爪を平行に配置したことを特徴とする請求項１記載のバランスウエイト。
【請求項４】
複数個の係合爪を互い違いに配置したことを特徴とする請求項１記載のバランスウェイト。
【請求項５】
前記係合爪の形状として、矩形条、或いは、正方形状にしたことを特徴とする請求項１記載のバランスウエイト。
【請求項６】
前記板状のバネ材の材質として、ステンレス鋼、或いは、リン青銅などの銅合金を用いたことを特徴とする請求項１記載のバランスウエイト。
【請求項７】
請求項１〜６記載のバランスウエイトを装着したことを特徴とする送風機用ファン。
【発明の詳細な説明】
【技術分野】
【０００１】
本発明は、送風機等に用いられているファンのバランスウェイトに関するものである。
【背景技術】
【０００２】
略Ｕ字状に形成され、Ｕ字両側片を湾曲させることで、ファンの羽根（ブレード）を複数の接点で支持して固定するバランスウェイトは従来から知られている。また、Ｕ字側片面に段部を設けて、この段部とブレードが係合するようにしたものは従来から知られている。（特許文献１、特許文献２参照）
【特許文献１】特開平６−２８８３９２
【特許文献２】特開平１１−２１０６９０
【発明の開示】
【発明が解決しようとする課題】
【０００３】
送風機羽根車において、複数ある羽根（ブレード）は、製造上、どうしても重量が不均等になってしまう。そのため、羽根車全体のバランスが悪くなり、回転に伴う振動が大きいものとなる。対策として、羽根車全体のバランスを均等にするために、ブレードにバランスウェイトを取り付けて、重量バランスを調整することは、従来から知られている。
【０００４】
前記バランスウェイトは湾曲しており、バランスウェイト内でブレードの湾曲部と嵌合することで、ブレードに装着している。そして、バランスウェイトの嵌合強度を上げるために、バランスウェイト内側に向けて切り欠きを設けて係合爪を形成することで、ブレードの湾曲に係合爪を係合させている。
【０００５】
しかし、前記バランスウェイトの係合爪の形成箇所は従来では１箇所のみであった。そのため、羽根車の回転方向に荷重が加わった場合、この係合爪が中心となってしまうため、回転方向荷重に対しては、動きやすく、また、抜けやすいという問題があった。
【０００６】
また、係合接点を増やすために、バランスウェイトの形を大きく湾曲させ、ブレードの両側面から挟持させる方法がある。しかし、ブレードの湾曲が大きい場合は、バランスウェイトの挿入途中で引っかかった状態となり、ブレードを挿入するための作業性が悪くなる。また、途中までしか挿入しなかった場合は、係合接点が少なくなり嵌合強度が低くなってしまう。さらに、ブレードの大きさに合わせてバランスウェイトを作成しなければならず、バランスウェイトが大きくなり、材料使用量が多くなる。
【０００７】
そこで、本発明は上記問題点を考慮し、挿入が簡易であり、かつ、ブレードの嵌合強度を向上させたバランスウェイトを提供する。
【課題を解決するための手段】
【０００８】
請求項１に関する発明は、板状のバネ材を略Ｕ字状に形成し、この略Ｕ字状の一方の面に、略Ｕ字状バネの内側に向かって複数個の切り欠きにより係合爪を形成したことを特徴とするバランスウエイトを提供するものである。
【０００９】
請求項２に関する発明は、略Ｕ字状に形成したバランスウエイトをファンの形状に沿って湾曲にしたことを特徴とする請求項１記載のバランスウエイトを提供するものである。
【００１０】
請求項３に関する発明は、複数個の係合爪を平行に配置したことを特徴とする請求項１記載のバランスウエイトを提供するものである。
【００１１】
請求項４に関する発明は、複数個の係合爪を互い違いに配置したことを特徴とする請求項１記載のバランスウェイトを提供するものである。
【００１２】
請求項５に関する発明は、前記係合爪の形状として、矩形条、或いは、正方形状にしたことを特徴とする請求項１記載のバランスウエイトを提供するものである。
【００１３】
請求項６に関する発明は、前記板状のバネ材の材質として、ステンレス鋼、或いは、リン青銅などの銅合金を用いたことを特徴とする請求項１記載のバランスウエイトを提供するものである。
【００１４】
請求項７に関する発明は、請求項１〜６記載のバランスウエイトを装着したことを特徴とする送風機用ファンを提供するものである。
【発明の効果】
【００１５】
請求項１に関する発明は、係合爪を複数にすることにより、ブレードとの接点を増やし、嵌合強度を更に上げることができる。また、回転方向荷重に対しても複数点で支持しているので、動きにくくなる。
【００１６】
請求項２に関する発明により、バランスウェイトを、ファンの形状に沿って湾曲させる簡易な形状を取っているため、バランスウェイトの製造が容易なものとなる。また、ブレードへの搭載も容易なものとなるので、工程の簡略が可能となる。
【００１７】
請求項３及び請求項４に関する発明により、複数ある係合爪を平行に配置するか、互い違いに配置するかの選択を、ブレードの形状に合わせて選ぶことができる。これにより、ブレードの形状による嵌合強度の低下を抑えることができる。
【００１８】
請求項５に関する発明により、矩形状あるいは正方形状の係合爪にするかを、ブレードやバランスウェイトの形状に合わせて、選ぶことができる。これにより、ブレードの形状による嵌合強度の低下を抑えることができる。
【００１９】
請求項６に関する材質を用いることで、平面状の板から略Ｕ字状への形成が容易であり、尚且つブレードを挟む保持力が高いため、他材質よりも優れている。
【００２０】
請求項７に関するように、回転速度の速いファンにバランスウェイトに搭載しても、本発明のバランスウェイトでは、ブレードから抜けにくいものとなる。そのため、高速回転用ファンの重量バランス調整が可能であり、結果、振動の少ない高速回転用ファンが利用可能となる。
【００２１】
また、ブレードの先端にバランスウェイトを搭載する方法であるため、小形のバランスウェイトが作成でき、結果、材料使用量の軽減と、重量の微調整が可能となる。
【発明を実施するための最良の形態】
【００２２】
以下、本発明の一実施形態について、図１から図４に基づいて説明する。
【００２３】
（１）バランスウェイトの構造
図１及び図３より、本発明のバランスウェイト１は略Ｕ字状の形状をしている。Ｕ字の２つの側片は、ブレード５の湾曲に沿うように同角度方向に折り曲げられている。側片Ａ３は、バランスウェイト挿入部側へと切り欠きを設けて係合用の爪２を形成している。図１及び図２より、この係合爪２は２箇所形成されている。また、側片Ｂ４は係合爪２を形成している側面よりも長く形成している。
【００２４】
また、バランスウェイト１は、ブレード５を挿入する口を、ブレード５の厚さより狭くするようにしている。これにより、ブレード挿入時の嵌合強度を上げることができる。
【００２５】
また、バランスウェイト１は、ステンレス鋼、或いは、リン青銅などといった、銅合金のような弾性のある部材を使用している。
【００２６】
（２）ブレード装着時の状態
本発明のバランスウェイト１にブレード５を挿入する際、図３のように、ブレード５の曲がり具合がきつい面が、側片Ａ３の係合爪２で係合するようにし、側片Ｂ４ではブレード５の湾曲に合わせて、側片Ｂの全面で接している。そして、ファンが回転した際、回転方向の荷重が掛かるが、複数の接点で支持することにより荷重を分散することができる。
【００２７】
（３）変更例
図５より、本発明のバランスウェイト１は係合爪２の数をもっと増やしても良い。また、バランスウェイト１の側片水平方向に対して平行に設けるだけでなく、互い違いに設けても良い。これにより、バランスウェイトの面積や、装着するブレードの形状に合わせて選択することができるようになる。
【産業上の利用可能性】
【００２８】
本発明は、バランスウェイトをブレードに嵌合させる際、嵌合強度を高くしたものを提供する。また、このバランスウェイトは高速回転のファンにも装着することができ、振動の少ないファンを提供することができる。
【図面の簡単な説明】
【００２９】
【図１】本発明のバランスウェイトの斜視図である。
【図２】本発明のバランスウェイトの平面図である。
【図３】本発明のバランスウェイト搭載時の側面図である。
【図４】本発明のバランスウェイトのa−a’断面図である。
【図５】本発明のバランスウェイトの別実施例の平面図である。
【符号の説明】
【００３０】
１  バランスウェイト
２  係合爪
３  側片Ａ
４  側片Ｂ
５  ブレード
【図１】
2006336532.tif 000003
【図２】
2006336532.tif 000004
【図３】
2006336532.tif 000005
【図４】
2006336532.tif 000006
【図５】
2006336532.tif 000007